(57)【特許請求の範囲】
【請求項１】
第１の絶縁本体と、
第２の絶縁本体と、
前記第１の絶縁本体に設けられる複数の第１の端子と、
前記第２の絶縁本体に設けられる複数の第２の端子と、
前記第１の絶縁本体と前記複数の第１の端子で構成された第１のモジュールと、
前記第２の絶縁本体と前記複数の第２の端子で構成された第２のモジュールと
を含み、
前記第１のモジュールと前記第２のモジュールは、並列的に設けられると共にプラグユニットとして機能し、
前記プラグユニットは、
前記第１のモジュールと前記第２のモジュールとの間に設けられたスライド構造と、前記第１のモジュールの後部と前記第２のモジュールの後部とを覆う外部ケースからなる連結ユニットとによって可動自在かつ前記外部ケースに収容自在に結合し、
前記第１のモジュールが前記外部ケースから突出され、前記第２のモジュールが前記外部ケースに収容された状態で、ＵＳＢ２．０通信規格に対応し、
前記第１のモジュール及び前記第２のモジュールが前記外部ケースから突出された状態で、ＵＳＢ３．０通信規格に対応する
ことを特徴とするＵＳＢプラグ。
【請求項２】
第１の絶縁本体と、
第２の絶縁本体と、
前記第１の絶縁本体に設けられる複数の第１の端子と、
前記第２の絶縁本体に設けられる複数の第２の端子と、
前記第１の絶縁本体と前記複数の第１の端子で構成された第１のモジュールと、
前記第２の絶縁本体と前記複数の第２の端子で構成された第２のモジュールと
を含み、
前記第１のモジュールと前記第２のモジュールは、並列的に設けられると共にプラグユニットとして機能し、
前記プラグユニットは、
前記第１のモジュールと前記第２のモジュールとの間に設けられた枢軸構造と、前記第１のモジュールの後部と前記第２のモジュールの後部とを覆う外部ケースからなる連結ユニットとによって回動自在に結合し、
前記第１のモジュールが回動されず、前記第２のモジュールが回動された状態で前記第１のモジュールが単独で使用される場合、ＵＳＢ２．０通信規格に対応し、
前記第１のモジュール及び前記第２のモジュールが回動されない状態で前記第１のモジュール及び前記第２のモジュールが共同で使用される場合、ＵＳＢ３．０通信規格に対応する
ことを特徴とするＵＳＢプラグ。
【請求項３】
前記第１の絶縁本体は、第１のベースと、当該第１のベースから前方に突出した第１のプレートを備え、
前記第２の絶縁本体は、第２のベースと、当該第２のベースから前方に突出した第２のプレートを備え、
前記第１の端子のそれぞれは、前記第１のベースを貫通して前記第１のプレートに設けられ、
前記第２の端子のそれぞれは、前記第２のベースを貫通して前記第２のプレートに設けられることを特徴とする請求項１又は２に記載のＵＳＢプラグ。
【発明の詳細な説明】
【技術分野】
【０００１】
本発明は、プラグに関し、特にＵＳＢ（Universal Serial Bus）３．０規格のＵＳＢプラグに関するものである。
【背景技術】
【０００２】
ＵＳＢコネクタはよく使用されるコネクタの一つである。コンピューターのほとんどの周辺機器は、データを伝送するためのＵＳＢコネクタを備えている。
【０００３】
ＵＳＢ３．０規格のコネクタとＵＳＢ２．０規格のコネクタとの互換性を保つため、ＵＳＢ３．０の規格のコネクタは、マイクロＢ（Ｍｉｃｒｏ−Ｂ）コネクタの類型を含む。マイクロＢコネクタは体積が小さいため、携帯電話などの小型化の携帯型電子機器に適用できる。
【発明の概要】
【発明が解決しようとする課題】
【０００４】
従来のＵＳＢプラグ（例えばマイクロＢコネクタ）はほとんど一体成形の設計である。即ち、プラグ（plugging connector）は、複数の第１の端子と複数の第２の端子が同じ絶縁本体に設けられるため、これらの第１の端子とこれらの第２の端子を対応するソケット（socket connector）に同時に挿入する必要があり、これらの第１の端子とこれらの第２の端子が単独で使用できず、ひいては使用用途が制限されるという欠点がある。
【０００５】
上記事情に鑑み、本発明は、必要に応じてプラグの第１のモジュールと第２のモジュールを単独で使用したり共同で使用したりすることができるＵＳＢプラグを提供することを目的とする。
【課題を解決するための手段】
【０００６】
本発明の第１の態様は、第１の絶縁本体と、第２の絶縁本体と、前記第１の絶縁本体に設けられる複数の第１の端子と、前記第２の絶縁本体に設けられる複数の第２の端子と、前記第１の絶縁本体と前記複数の第１の端子で構成された第１のモジュールと、前記第２の絶縁本体と前記複数の第２の端子で構成された第２のモジュールとを含み、前記第１のモジュールと前記第２のモジュールは、並列的に設けられると共に、連結ユニットによって可動自在に結合するように構成されるＵＳＢプラグを提供する。
【０００７】
また、本発明の第２の態様は、第１の絶縁本体と、第２の絶縁本体と、前記第１の絶縁本体に設けられる複数の第１の端子と、前記第２の絶縁本体に設けられる複数の第２の端子と、前記第１の絶縁本体と前記複数の第１の端子で構成された第１のモジュールと、前記第２の絶縁本体と前記複数の第２の端子で構成された第２のモジュールと、を含み、前記第１のモジュールと前記第２のモジュールは、重畳的に設けられると共に、連結ユニットによって可動自在に結合するように構成されるＵＳＢプラグを提供する。
【発明の効果】
【０００８】
本発明においては、プラグの第１のモジュールと第２のモジュールはそれぞれ独立なモジュールであるため、単独で使用したり共同で使用したりすることができ、使用上の利便性を向上でき、使用用途が広くなるというメリットがある。
【図面の簡単な説明】
【０００９】
【図１】本発明の第１の実施例に係るＵＳＢプラグの模式図を示すものである。
【図２】本発明の第１の実施例に係るＵＳＢプラグの他の模式図を示すものである。
【図３】本発明の第１の実施例に係るＵＳＢプラグの使用状態の模式図を示すものである。
【図４】本発明の第１の実施例に係るＵＳＢプラグの他の使用状態の模式図を示すものである。
【図５】本発明の第２の実施例に係るＵＳＢプラグの使用状態の模式図を示すものである。
【図６】本発明の第２の実施例に係るＵＳＢプラグの他の使用状態の模式図を示すものである。
【図７】本発明の第３の実施例に係るＵＳＢプラグの使用状態の模式図を示すものである。
【図８】本発明の第３の実施例に係るＵＳＢプラグの他の使用状態の模式図を示すものである。
【図９】本発明の第４の実施例に係るＵＳＢプラグの使用状態の模式図を示すものである。
【図１０】本発明の第５の実施例に係るＵＳＢプラグの使用状態の模式図を示すものである。
【図１１】本発明の第６の実施例に係るＵＳＢプラグの使用状態の模式図を示すものである。
【図１２】本発明の第７の実施例に係るＵＳＢプラグの使用状態の模式図を示すものである。
【図１３】本発明の第８の実施例に係るＵＳＢプラグの使用状態の模式図を示すものである。
【図１４】本発明の第９の実施例に係るＵＳＢプラグの使用状態の模式図を示すものである。
【図１５】本発明の第１０の実施例に係るＵＳＢプラグの使用状態の模式図を示すものである。
【図１６】本発明の第１１の実施例に係るＵＳＢプラグの使用状態の模式図を示すものである。
【図１７】本発明の第１２の実施例に係るＵＳＢプラグの使用状態の模式図を示すものである。
【発明を実施するための形態】
【００１０】
以下、本発明の特徴及び技術内容をより一層理解するために、本発明に係る実施形態及び図面を参照されたい。但し、当該実施形態又は図面などは単に本発明を説明または参考するために用いられるもので、本発明に対して如何なる制限はない。
【００１１】
（第１の実施例）
図１〜図４は本発明に係るＵＳＢプラグを示すものである。本実施例において、ＵＳＢ３．０マイクロＢ（Ｍｉｃｒｏ−Ｂ）プラグの規格を満たすマイクロ高周波プラグは、第１の絶縁本体１、第２の絶縁本体２、複数の第１の端子３及び複数の第２の端子４を含む。
【００１２】
第１の絶縁本体１は、第１のベース１１と第１のプレート１２を備える。第１のプレート１２は第１のベース１１から前方に突出している。複数の第１の端子３が第１の絶縁本体１に設けられる。即ち、複数の第１の端子３のそれぞれは、第１のベース１１を貫通して第１のプレート１２に設けられており、ＵＳＢ２．０通信規格に対応している。複数の第１の端子３のそれぞれは、第１の固定部３１、第１の接触部３２及び第１の半田付け部３３を有する。第１の固定部３１は第１のベース１１を貫通して設けられる。第１の接触部３２は、第１の固定部３１から前方に突出している。第１の半田付け部３３は第１の固定部３１から後方に突出している。
【００１３】
第２の絶縁本体２は、第２のベース２１と第２のプレート２２を備える。第２のプレート２２は第２のベース２１から前方に突出している。複数の第２の端子４は第２の絶縁本体２に設けられる。即ち、複数の第２の端子４のそれぞれは、第２のベース２１を貫通して第２のプレート２２に設けられており、複数の第１の端子３と共にＵＳＢ３．０通信規格に対応している。複数の第２の端子４は、二対の高周波通信用端子と、当該二対の高周波通信用端子の間に介在する接地端子と、を有する。複数の第２の端子４のそれぞれは、第２の固定部４１、第２の接触部４２及び第２の半田付け部４３を有する。第２の固定部４１は第２のベースを貫通して設けられる。第２の接触部４２は、第２の固定部４１から前方に突出している。第２の半田付け部４３は第２の固定部４１から後方に突出している。複数の第１の端子３の第１の半田付け部３３と複数の第２の端子４の第２の半田付け部４３が半田付けでケーブルに電気的に接続されることによって、ケーブルコネクタを実現する。また、本発明はこれに限定されるものではなく、複数の第１の端子３の第１の半田付け部３３と複数の第２の端子４の第２の半田付け部４３を他の装置に電気的に接続するようにしてもよい。
【００１４】
図２に示すように、本発明に係るＵＳＢプラグは、第１の保護ハウジング５と第２の保護ハウジング６を更に含む。第１の保護ハウジング５は、第１の絶縁本体１と複数の第１の端子３を覆う。第１の保護ハウジング５は、中空ケースであり、その内部には第１の絶縁本体１と複数の第１の端子３を収容するための第１の収容室５１が形成されている。第２の保護ハウジング６は、中空ケースであり、その内部には第２の絶縁本体２と複数の第２の端子４を収容するための第２の収容室６１が形成されている。
【００１５】
第１の絶縁本体１と複数の第１の端子３は第１のモジュール１００を構成する。第２の絶縁本体２と複数の第２の端子４は第２のモジュール２００を構成する。第１のモジュール１００と第２のモジュール２００は水平方向に並列的に設置されており、二つの独立のモジュールであるため、必要に応じて単独で使用したり共同で使用したりすることができる。第１のモジュール１００と第２のモジュール２００は連結ユニットによって結合する。その結合方式は特に制限がない。例えば、第１のモジュール１００と第２のモジュール２００は、あらゆる枢軸構造、スライド構造又は嵌合構造などの構造を連結ユニットとして使用することによって可動自在に結合するようにしてもよい。第１のモジュール１００と第２のモジュール２００の可動方式は特に限定されておらず、例えば、左右回転、前後スライド（又は前後摺動）、上下回動などの可動方式でもよい。第１のモジュール１００と第２のモジュール２００は、そのうちの一方が固定的に設けられると共に他方が可動的に設けられるようにしてもよく、両方が可動的に設けられるようにしてもよい。
【００１６】
本実施例において、第１のモジュール１００と第２のモジュール２００はスライド結合の方式と前後スライド（前後摺動）の方式を使用する。第１のモジュール１００と第２のモジュール２００の間には水平方向にスライド構造８が設けられる。スライド構造８は第１の絶縁本体１と第２の絶縁本体２の間に設けられる。スライド構造８の構造は特に限定されておらず、例えば、対向する二つのスライド部８１、８２で構成されるようにしてもよい。また、第１の絶縁本体１には楔形凹部（溝）を有するスライド部８１が設けられ、第２の絶縁本体２には楔形凸部を有するスライド部８２が設けられ、スライド部８１とスライド部８２によって第１の絶縁本体１と第２の絶縁本体２をスライド結合するようにしてもよい。
【００１７】
図３に示すように、本実施例において、第１のモジュール１００と第２のモジュール２００の各後部は外部ケース１０で覆われる。第１のモジュール１００と第２のモジュール２００は、スライド構造８と外部ケース１０で構成された連結ユニットによって可動自在に結合することができる。第１のモジュール１００と第２のモジュール２００（の結合部位）は前後スライドすることで自由に移動できる。図４に示すように、第２のモジュール２００を後方へスライドさせ、第１のモジュール１００のみを使用して第１のモジュール１００を対応するソケットに挿入することによってソケットと電気的に接続するようにしてもよい。第２のモジュール２００を容易に前後移動させるように、第２の絶縁本体２の上にプッシュボタン２３を突設するようにしてもよい。また、図３に示すように、第１のモジュール１００と第２のモジュール２００を同時に使用して、それぞれの対応するソケットに挿入することによって各ソケットと電気的に接続するようにしてもよい。
【００１８】
本実施例においては、第１のモジュール１００が外部ケース１０に固定的に設けられる一方、第２のモジュール２００が外部ケース１０に可動的に設けられるため、第１のモジュール１００は前後スライドすることができず、第２のモジュール２００のみが前後スライドすることができる。もちろん、第１のモジュール１００と第２のモジュール２００の両方を前後スライドさせることができるように、第１のモジュール１００と第２のモジュール２００を外部ケース１０に可動的に設置するようにしてもよい。また、第１のモジュール１００を外部ケース１０に可動的に設置する一方、第２のモジュール２００を外部ケース１０に固定的に設置するようにしてもよい。即ち、第１のモジュール１００と第２のモジュール２００のうちの一つは前後スライドできれば、第１のモジュール１００と第２のモジュール２００を単独で使用したり共同で使用したりすることができる。
【００１９】
（第２の実施例）
図５と図６は、第１のモジュール１００と第２のモジュール２００が枢軸結合の方式と左右回転の方式を使用する実施例を示すものです。第２のモジュール２００の後部には枢軸構造７が設けられる。枢軸構造７の軸心は鉛直方向に延びる。枢軸構造７は第２のモジュール２００と外部ケース１０との間に設けられるようにしてもよい。また、枢軸構造７の構造は枢軸と枢軸孔で構成されるようにしてもよいが、特に限定がない。例えば、第２の絶縁本体２には枢軸７１（又は枢軸孔）が設けられ、外部ケース１０には枢軸７１（又は枢軸孔）と対応する枢軸孔７２（又は枢軸）が設けられ、枢軸７１と枢軸孔７２によって第２の絶縁本体２と外部ケース１０を結合する。
【００２０】
本実施例において、第１のモジュール１００と第２のモジュール２００は、枢軸構造７と外部ケース１０で構成された連結ユニットによって可動自在に結合することで左右回転に移動できる。即ち、第２のモジュール２００を一側へ回転させ、第１のモジュール１００のみを対応するソケットに挿入することによってソケットと電気的に接続できる。もちろん、図５に示すように、第１のモジュール１００と第２のモジュール２００のそれぞれを対応するソケットに挿入することによってソケットと電気的に接続できる。本実施例において、第１のモジュール１００が外部ケース１０に固定的に設けられる一方、第２のモジュール２００が外部ケースに可動的に設けられるため、第１のモジュール１００は左右回転することができず、第２のモジュール２００のみは左右回転することができる。
【００２１】
第１のモジュール１００と第２のモジュール２００の間は嵌合構造（図示せず）によって嵌合するようにしてもよい。即ち、嵌合構造は、第１の絶縁本体１と第２の絶縁本体２との間に設けられるようにしてもよく、第１の絶縁本体１及び第２の絶縁本体２と外部ケース１０との間に設けられるようにしてもよい。また、嵌合構造の構造は、対向する二つの嵌合部材で構成されており、第１の絶縁本体１と第２の絶縁本体２を嵌合したり、第１の絶縁本体１及び第２の絶縁本体２と外部ケース１０を嵌合したりするようにしてもよく、特に限定されない。
【００２２】
（第３の実施例）
図７と図８に示すように、本発明の第３の実施例において、第１のモジュール１００と第２のモジュール２００は枢軸結合の方式と上下回動の方式を使用する。第２のモジュール２００の後部には枢軸構造９が設けられる。枢軸構造９の軸心は水平方向に延びる。枢軸構造９は、第２のモジュール２００と外部ケース１０との間に設けられるようにしてもよく、第２のモジュール２００と第１のモジュール１００との間に設けられるようにしてもよい。枢軸構造９の構造は、枢軸と枢軸孔で構成されてもよく、特に限定されない。例えば、第２の絶縁本体２には枢軸９１（又は枢軸孔）が設けられ、外部ケース１０には枢軸９１（又は枢軸孔）と対応する枢軸孔９２（又は枢軸）が設けられ、枢軸９１と枢軸孔９２によって第２の絶縁本体２と外部ケース１０を結合するようにしてもよい。
【００２３】
本実施例において、第１のモジュール１００と第２のモジュール２００は、枢軸構造９と外部ケース１０で構成された連結ユニットによって可動自在に結合することで上下回動に移動できる。また、図８に示すように、第２のモジュール２００を上方又は後方へ回動させ、第１のモジュール１００のみを対応するソケットに挿入することによってソケットと電気的に接続するようにしてもよい。もちろん、図７に示すように、第１のモジュール１００と第２のモジュールのそれぞれを対応するソケットに挿入することによってソケットと電気的に接続するようにしてもよい。
【００２４】
本実施例において、第１のモジュールは固定的に設置され、即ち、第１のモジュール１００が外部ケース１０に固定的に設けられるため、第１のモジュール１００は上下回動することができない。言い換えれば、第２のモジュール２００のみが外部ケース１０に設けられるため、第２のモジュール２００のみは上下回動することができる。第１のモジュール１００と第２のモジュール２００の間には枢軸構造９によって結合することができる。即ち、枢軸構造９は、第１の絶縁本体１と第２の絶縁本体２の間に設けられたり、第１の絶縁本体１及び第２の絶縁本体２と外部ケース１０の間に設けられたりすることによって、第１の絶縁本体１と第２の絶縁本体２を結合したり、第１の絶縁本体１及び第２の絶縁本体２と外部ケース１０を結合したりするようにしてもよい。
【００２５】
第１のモジュール１００と第２のモジュール２００が可動的に設けられる方式を使用する場合、第１のモジュール１００と第２のモジュール２００の動きを邪魔しないように、第１のモジュール１００と第２のモジュール２００を連接するケーブルの長さをより長くしたり、枢軸構造７、９に挿入されたりするように設計することによって、第１のモジュール１００と第２のモジュール２００にスムーズに動作（又は移動）させることができる。
【００２６】
（第４〜第６の実施例）
図９〜図１１に示すように、本発明の第４〜第６の実施例において、ＵＳＢ３．０Ｂ型プラグの規格を満たすＵＳＢプラグを提供する。ＵＳＢプラグは、第１の絶縁本体１、第２の絶縁本体２、複数の第１の端子３、複数の第２の端子４、第１の保護ハウジング５及び第２の保護ハウジングを含む。第４〜第６の実施例に示すＵＳＢプラグの構造と第１〜第３の実施例に示すＵＳＢプラグの構造とはほぼ同じであるが、主な相違点は、第４〜第６の実施例に示すＵＳＢプラグがＵＳＢ３．０Ｂ型の規格を満たすことにある。第４〜第６の実施例において、第１のモジュール１００と第２のモジュール２００は、それぞれ独立のモジュールであると共に垂直方向に重畳的に（重なるように）設けられるため、必要に応じて、単独で使用したり共同で使用したりすることができる。第１のモジュール１００と第２のモジュール２００は、あらゆる枢軸構造、スライド構造又は嵌合構造などの構造若しくはそれらの構造と外部ケース１０で構成された連結ユニットによって可動自在に結合するようにしてもよい。第１のモジュール１００と第２のモジュール２００の可動方式は、左右回転、前後スライド（又は前後摺動）、上下回動などの可動方式であってもよい。
【００２７】
また、本発明において、枢軸構造、スライド構造又は嵌合構造は第１の絶縁本体１と第２の絶縁本体２との間に設けられるが、これに限定されるものではなく、第１の保護ハウジング５と第２の保護ハウジング６との間に設けられるようにしてもよく、第１の絶縁本体１及び第２の絶縁本体２と外部ケース１０との間に設けられるようにしてもよい。また、第１のモジュール１００には第１の外部ケース（図示せず）が設けられ、第２のモジュール２００には第２の外部ケース（図示せず）が設けられ、第１の外部ケースと第２の外部ケースとの間には枢軸構造、スライド構造又は嵌合構造などの構造を連結ユニットとして使用することによって、第１のモジュール１００と第２のモジュール２００を可動自在に結合するようにしてもよい。
【００２８】
（第７、第８の実施例）
図１２と図１３に示すように、第７、第８の実施例において、ＵＳＢマイクロＢプラグの規格を満たすＵＳＢプラグを提供する。第７、第８の実施例において、ＵＳＢプラグの後端部にはコネクタ２０が設けられる。複数の第１の端子３の第１の半田付け部３３と複数の第２の端子４の第２の半田付け部４３がコネクタ２０の対応する複数の端子（図示せず）に電気的に接続されることによって、アダプター装置を構成する。コネクタ２０は、ＵＳＢ３．０Ｂ型プラグの規格（図１２に示す）又はＵＳＢ３．０Ａ型プラグの規格（図１３に示す）を満たすものであってもよく、他の型式のコネクタであってもよい。
【００２９】
（第９、第１０の実施例）
図１４と図１５に示すように、第９、第１０の実施例において、ＵＳＢプラグの両側には、アダプター３００に収容するためのスライド溝４００が形成される。アダプター３００は二つの結合アーム３０１を有する。二つの結合アーム３０１の内面には枢軸部３０２が設けられる。プラグをアダプター３００に収容すると、プラグはアダプター３００と電気的に接続する。また、アダプター３００に設けられる枢軸部３０２とＵＳＢプラグのスライド溝４００の間のスライドによって、プラグを使用しない場合、ＵＳＢプラグはアダプター３００の二つの結合アーム３０１の間を移動したり、異なる方向へ回動したりすることができる。これにより、アダプター３００を取り外すことなく、ＵＳＢプラグを単独で使用することができるため、使用利便性を向上することができる。
【００３０】
（第１１の実施例）
図１６に示すように、第１１の実施例において、複数の第１の端子３の第１の半田付け部３３と複数の第２の端子１４の第２の半田付け部４３は分岐した二つのケーブルに電気的に接続される。即ち、第１のモジュール１００と第２のモジュール２００は、分岐した二つのケーブルに電気的に接続される。
【００３１】
（第１２の実施例）
図１７に示すように、第１２の実施例において、第１のモジュール１００と第２のモジュール２００を押して容易に前後移動にさせるように、第１の絶縁本体１と第２の絶縁本体２の上部にそれぞれプッシュボタン１３、２３が突設される。また、第１のモジュール１００と第２のモジュール２００は外部ケース１０に可動的に設けられており、第１のモジュール１００と第２のモジュール２００のそれぞれは前後スライドすることができる。
【００３２】
ＵＳＢプラグの第１のモジュール１００と第２のモジュール２００は移動可能な方式（例えば、回転、スライド、摺動、回動、嵌合など）を採用すると共に、第１のモジュール１００と第２のモジュール２００のそれぞれは独立のモジュールであるため、必要に応じて単独で使用したり共同で使用したりすることができ、使用時の利便性を向上でき、使用用途が広くなるというメリットがある。
【００３３】
上述した実施例は、本発明の好ましい実施態様に過ぎず、本発明の実施の範囲を限定するものではなく、本発明の明細書及び図面内容に基づいてなされた均等な変更および付加は、いずれも本発明の特許請求の範囲内に含まれるものとする。
【図１】
0005351248.tif 000002
【図２】
0005351248.tif 000003
【図３】
0005351248.tif 000004
【図４】
0005351248.tif 000005
【図５】
0005351248.tif 000006
【図６】
0005351248.tif 000007
【図７】
0005351248.tif 000008
【図８】
0005351248.tif 000009
【図９】
0005351248.tif 000010
【図１０】
0005351248.tif 000011
【図１１】
0005351248.tif 000012
【図１２】
0005351248.tif 000013
【図１３】
0005351248.tif 000014
【図１４】
0005351248.tif 000015
【図１５】
0005351248.tif 000016
【図１６】
0005351248.tif 000017
【図１７】
0005351248.tif 000018